(57)【特許請求の範囲】
【請求項１】
便器本体の上面側に固定される装置本体と、
前記便器本体の上面側において起立姿勢と倒伏姿勢とに回動可能な形態で前記装置本体に固定された便座と、
前記便座を回動可能に支持するヒンジ部と、
互いに係止可能なロック部およびロック受け部を有して前記便座を前記起立姿勢に保持するロック機構と、
を備え、
前記装置本体は、便器洗浄水を貯留するタンクと、前記タンクの周囲を覆うタンクカバーとを有し、
前記ロック部が前記便座とともに回動し、前記ヒンジ部から離れた位置で前記ロック受け部と係止するようになっており、
前記ヒンジ部が、前記タンクカバーより前側に位置し、
前記ロック受け部が、前記タンクカバーの内側に位置している便座装置。
【請求項２】
便器本体の上面側に固定される装置本体と、
前記便器本体の上面側において起立姿勢と倒伏姿勢とに回動可能な形態で前記装置本体に固定された便座と、
前記便座を回動可能に支持するヒンジ部と、
互いに係止可能なロック部およびロック受け部を有して前記便座を前記起立姿勢に保持するロック機構と、
を備え、
前記装置本体は、便器洗浄水を貯留するタンクと、前記タンクの周囲を覆うタンクカバーとを有し、
前記ロック部が前記便座とともに回動し、前記ヒンジ部から離れた位置で前記ロック受け部と係止するようになっており、
前記タンクカバーが、前記ロック受け部を覆っている便座装置。
【請求項３】
前記ヒンジ部が、前記タンクカバーより前側に位置し、
前記ロック受け部が、前記タンクカバーの内側に位置している請求項２に記載の便座装置。
【請求項４】
前記ロック機構が、前記便座から外側に突出するアーム部を有し、
前記ロック部が、前記アーム部に備えられている請求項１ないし請求項３のいずれか一項に記載の便座装置。
【請求項５】
前記便座の内部に、前記便座の回動に抵抗を付与するダンパー装置が収容されている請求項１ないし請求項４のいずれか一項に記載の便座装置。
【請求項６】
前記便座の重心位置は、前記起立姿勢において前記ヒンジ部よりも前方に位置している請求項１ないし請求項５のいずれか一項に記載の便座装置。
【発明の詳細な説明】
【技術分野】
【０００１】
本発明は、便座装置に関する。
【背景技術】
【０００２】
従来、便器本体の上面側において起立姿勢と倒伏姿勢とに回動可能な便座を備えた便座装置が知られている。便座は、便器本体の上面側に固定される装置本体に回動可能な形態で固定されている。便座装置には、便座を回動可能に支持するヒンジ部が設けられている。
【０００３】
この種の便座装置において、便座を起立姿勢に保持するロック機構を、ヒンジ部に設けたものが知られている。例えば下記特許文献１に記載の便座装置のロック機構は、ヒンジ部の回転軸と一体に回動する回転ローラと、ケーシングに固定された固定ローラとを備えている。回転ローラは、回転軸の外周面上に設けられ、固定ローラは、回転軸を囲うケーシングの内部に固定されている。固定ローラは、径方向の変位が許容される一方、周方向の変位が制限された状態とされている。そして、便座の倒伏姿勢では、固定ローラと回転ローラとが回動軸の回転方向に沿って約９０度離間し、便座が起立姿勢に近づくと回転ローラが固定ローラに摺動し、便座が起立姿勢になると回転ローラが固定ローラを乗り越えて固定ローラに係止し、起立姿勢が保持されるようになっている。
【先行技術文献】
【特許文献】
【０００４】
【特許文献１】特開２００９−５８１３号公報
【発明の概要】
【発明が解決しようとする課題】
【０００５】
しかしながら、上記のような構成のロック機構は、便座の回動中心であるヒンジ部において係止するものであるから、便座を起立姿勢で保持するために大きな係止力を必要とする。このため、例えば便座を９０度以下に傾いた起立姿勢で保持することは難しく、改善が望まれていた。
【０００６】
本発明は上記のような事情に基づいて完成されたものであって、小さな係止力で便座を起立姿勢に保持することが可能なロック機構を備えた便座装置を提供することを目的とする。
【課題を解決するための手段】
【０００７】
本発明の便座装置は、便器本体の上面側に固定される装置本体と、前記便器本体の上面側において起立姿勢と倒伏姿勢とに回動可能な形態で前記装置本体に固定された便座と、前記便座を回動可能に支持するヒンジ部と、互いに係止可能なロック部およびロック受け部を有して前記便座を前記起立姿勢に保持するロック機構と、を備え、前記装置本体は、便器洗浄水を貯留するタンクと、前記タンクの周囲を覆うタンクカバーとを有し、前記ロック部が前記便座とともに回動し、前記ヒンジ部から離れた位置で前記ロック受け部と係止するようになっている。
【発明の効果】
【０００８】
本発明によれば、便座を起立姿勢に保持するロック機構が、ヒンジ部（すなわち回動中心）から離れた位置で係止するものであるから、小さな係止力で便座を起立姿勢に保持することができる。
【図面の簡単な説明】
【０００９】
【図１】本実施例における便座装置であって、便器本体に固定された状態を示す斜視図
【図２】連結部および便座固定フレームが取り付けられた状態の便座を示す斜視図
【図３】第１連結部側のヒンジ部を示す分解斜視図
【図４】第１連結部側のヒンジ部が収容された収容凹部にキャップを取り付ける様子を示す斜視図
【図５】第２連結部側のヒンジ部を示す分解斜視図
【図６】第２連結部側のヒンジ部が収容された収容凹部にキャップを取り付ける様子を示す斜視図
【図７】便器本体に固定された状態の便座装置の後面側を示す斜視図
【図８】便座装置のヒンジ部の水平断面を示す一部拡大断面図
【図９】便座が倒伏姿勢である状態の便座装置を示す側面図
【図１０】便座が倒伏姿勢である状態のロック機構を示す便座装置の一部拡大断面図
【図１１】便座が倒伏姿勢である状態のロック機構を示す便座装置の一部拡大背面図
【図１２】便座が起立姿勢である状態の便座装置を示す側面図
【図１３】便座が起立姿勢である状態のロック機構を示す便座装置の一部拡大背面図
【図１４】便座が起立姿勢である状態のロック機構を示す便座装置の一部拡大背面図
【発明を実施するための形態】
【００１０】
本発明の好ましい形態を以下に示す。
本発明の便座装置は、前記ロック機構が、前記便座から外側に突出するアーム部を有し、前記ロック部が、前記アーム部に備えられているものとしてもよい。このような構成によれば、ロック機構が、例えば便座の内側で係止するものである場合に比して、よりヒンジ部から離れた位置で係止するから、より小さい係止力で便座を起立姿勢に保持することができる。
【００１１】
また、本発明の便座装置は、前記タンクカバーが、前記ロック受け部を覆っているものとしてもよい。このような構成によれば、ロック受け部を隠すことができるから、外観を良くすることができる。
【００１２】
また、本発明の便座装置は、前記便座の内部に、前記便座の回動に抵抗を付与するダンパー装置が収容されているものとしてもよい。ここで、ロック機構を備えていないダンパー装置は、ロック機構を備えているものに比して小さくすることができる。したがって、ダンパー装置を便座の内部に収容して外観を良くすることができる。
【００１３】
また、本発明の便座装置は、前記便座の重心位置は、前記起立姿勢において前記ヒンジ部よりも前方に位置しているものとしてもよい。このような構成によれば、起立姿勢の便座の後側にスペースをあけることができるから、装置本体の形状の自由度を増すことができる。
【００１４】
＜実施例＞
以下、本発明を具体化した一実施例について、図１〜図１４を参照しつつ詳細に説明する。
本実施例における便座装置Ｍは、便器本体１の上面側に固定される装置本体１０と、便器本体１の上面側において起立姿勢と倒伏姿勢とに回動可能な形態で装置本体１０に固定された便座３０とを備えている。便器本体１は便鉢部２を有し、便座３０は、便鉢部２の上面で倒伏状態と起立状態に回動する。
【００１５】
装置本体１０は、洗浄タンク１１を有し、洗浄タンク１１の前面には背もたれ部材１２が固定されている。
洗浄タンク１１は、便器洗浄水を貯留する図示しないタンクと、タンクの周囲を覆うタンクカバー１４とを備えている。タンクカバー１４は、後述するロック受け部６２を覆うケーシングとして機能する。
【００１６】
タンクカバー１４は、合成樹脂製であって、タンクの左右両側および後側を覆う周壁１５を有し、前面側には背もたれ部材１２と、背もたれ部材１２の下側を覆う前壁１６とが備えられている。また、タンクカバー１４の上面側には、蓋部材１７が備えられている。タンクカバー１４に蓋部材１７を取り付けた状態では、タンクカバー１４の上面は、前端から後端に向かって次第に下がる傾斜面となる。
【００１７】
背もたれ部材１２は、弾性材料によって所定の厚さ寸法を有する略方形の厚板状に形成され、クッション性を有するものとされている。背もたれ部材１２は、正面から見ると横方向に長い長方形状をなし、その下端は、便座３０の上面に近接して配される。背もたれ部材１２は、タンクカバー１４の前面側に形成された開口を覆うものである。
【００１８】
背もたれ部材１２は、図８および図９に示すように、上下方向における中心よりも若干下側寄りの位置を境にして、上側（以後、背もたれ上部１２Ａと称する）と下側（以後、背もたれ下部１２Ｂと称する）とで勾配が異なるものとされている。背もたれ部材１２がタンクカバー１４に取り付けられた状態では、背もたれ下部１２Ｂはほぼ垂直に立って配され、背もたれ上部１２Ａは後ろ上がりに傾斜した姿勢になる。
【００１９】
背もたれ部材１２は、複数の取付ねじによってタンクカバー１４およびタンクカバー１４内に配されたフレーム２０に固定される。フレーム２０は、便器本体１に固定されるものである。フレーム２０は、金属製であって、図７に示すように、便器本体１の後部上面に載置される載置面部２１と、載置面部２１の左右両端部から上方に立ち上がる左右一対の縦フレーム２２と、左右一対の縦フレーム２２の間に掛け渡された上下一対の横フレーム２３とを備えている。
【００２０】
載置面部２１は板状をなし、図示しない取付ボルトが下方へ貫通可能な貫通孔が形成されている。載置面部２１を貫通した取付ボルトが便器本体１の後部上面に設けられた固定孔（図示せず）にそれぞれ挿通され、下方からナットが締め付けられることにより、装置本体１０が便器本体１に固定される。
【００２１】
左右一対の縦フレーム２２は、載置面部２１の左右両端部に接合されている。一対の縦フレーム２２は、便座装置Ｍが便器本体１に固定された状態では、便器本体１の幅方向における両端部に配される。
【００２２】
横フレーム２３は、縦フレーム２２の上端部と中間部とに連結されている。中間部に連結された横フレーム２３（以後、便座固定フレーム２３Ａと称する）には、連結部５０を介して便座３０が固定されている。便座固定フレーム２３Ａの左右方向における両端部には、連結部５０が固定される被固定部２４が垂下されている。
【００２３】
便座固定フレーム２３Ａの上縁には、図２に示すように、略水平な板面を有するフランジ部２６が設けられている。フランジ部２６は、便座固定フレーム２３Ａの後面側に、略全幅にわたって設けられている。フランジ部２６の左右方向における両端部は、コイルバネＳの下端を支持するバネ支持部２７を構成している。コイルバネＳは、倒伏姿勢において脚部３４の一部が便器本体１の上面から浮いた状態になるように便座３０を弾性的に持ち上げるものである。バネ支持部２７には、コイルバネＳの内側に挿通される心棒２８の端部が嵌合可能な嵌合穴２９が貫通形成されている。
【００２４】
便座３０は、全体として前後方向に若干長い方形状をなし、中央部には、前後方向に長い略長円形状の開口３１が形成されている。
便座３０は、図８に示すように、表部材３２および裏部材３３を有し、表部材３２と裏部材３３との間には空洞部が形成されている。表部材３２の内面には、通電により発熱する図示しないニクロム線とアルミシートからなる発熱体が貼着されている。また、裏部材３３には、便座３０の倒伏姿勢において便鉢部２の上面に当接し得る複数（本実施例では４つ）の脚部３４が設けられている。脚部３４は、開口３１を中心にした前後左右に設けられている。
【００２５】
便座３０は、図９に示すように、倒伏姿勢において便器本体１の上面に沿って配される便座本体部３０Ａと、便器本体１の上面に対して略垂直に立ち上がる便座後端部３０Ｂとを備えている。便座後端部３０Ｂは、便座３０の全幅にわたりほぼ同じ高さで立ち上がった形態をなしている。
【００２６】
便座本体部３０Ａは、便座３０の倒伏姿勢における後端から前端に向かって次第に上下方向の寸法が小さくなる（薄くなる）形状をなしている。便座本体部３０Ａの裏面（下面）は、便座３０の倒伏姿勢において略水平に配され、表面（上面）は、前端側が若干下がるように傾斜している。
【００２７】
便座３０の起立姿勢では、図１２、図１３に示すように、便座本体部３０Ａの裏面が略垂直に立ち上がり、便座後端部３０Ｂは略水平に配される。便座３０の起立姿勢における便座本体部３０Ａは、背もたれ部材１２から前側に離れて配され、便座本体部３０Ａと背もたれ部材１２との前後方向の間隔は、下側よりも上側においてより大きく開いている。便座３０の起立姿勢における便座後端部３０Ｂは、背もたれ部材１２の下端に沿って配される。便座３０の重心位置は、起立姿勢においてヒンジ部Ｈよりも前方（便座３０の倒れ方向）に位置している。
【００２８】
便座後端部３０Ｂの裏面（裏部材３３）には、図１２、図１３に示すように、便座３０の起立姿勢において後方に向かって下がる傾斜をなす傾斜部３５が設けられている。傾斜部３５は、便座３０の幅方向における略全体にわたり形成されている。なお、傾斜部３５の幅方向における両端部には、便座３０を側面視したときに、傾斜部３５を隠すように突出する突出縁部３６が設けられている。
【００２９】
便座後端部３０Ｂには、図８に示すように、便座３０を回動可能に支持するヒンジ部Ｈが設けられている。ヒンジ部Ｈは、便座後端部３０Ｂの左右方向における両端部に備えられている。ヒンジ部Ｈは、便座後端部３０Ｂに形成された収容凹部３７に収容されている。ヒンジ部Ｈは、収容凹部３７に取り付けられたキャップ３８によって覆われている。収容凹部３７には、キャップ３８等をねじ止めするねじ止め部３９が複数設けられている。
【００３０】
左右一対の収容凹部３７のうち一方には、図３および図４に示すように、便座３０の回動に抵抗を付与するダンパー装置４１が収容されている。ダンパー装置４１は、ダンパーケース４２に収まって、収容凹部３７に固定されている。ダンパーケース４２の壁部４５には、ダンパー装置４１の軸部４１Ａが貫通される軸貫通孔４６が形成されている。ダンパーケース４２には、後述するアーム部６３が一体に設けられている。
【００３１】
左右一対の収容凹部３７のうち他方には、図５および図６に示すように、ヒンジ固定部材４３が収容されている。ヒンジ固定部材４３は、後述する第２連結部５０Ｂの軸部５８が嵌合可能な軸受け部４４を有し、収容凹部３７に固定されている。軸受け部４４は、軸部５８に嵌合可能な円筒形状をなしている。軸受け部４４は、軸部５８に対して、径方向の両側から嵌合できるように分割されている。軸受け部４４は、収容凹部３７に嵌め込まれる軸受けパーツ４３Ａと、収容凹部３７にねじ止めされる本体パーツ４３Ｂとに分けて形成されている。
【００３２】
便座後端部３０Ｂの左右両側には、便座３０と装置本体１０との間に架け渡される連結部５０が備えられている（図２参照）。左右一対の連結部５０は、いずれも便座後端部３０Ｂから後方に突出して、上方に立ち上がる形態をなしている。
【００３３】
連結部５０は、合成樹脂製であって、下端部には便座３０に接合される接合部５１が設けられている（図８参照）。接合部５１は、便座３０に設けられた収容凹部３７に収容され、ヒンジ部Ｈを構成する。連結部５０は、収容凹部３７の後面に形成された開口部３７Ａから後方に突出している。
【００３４】
連結部５０の上端部には、図２に示すように、コイルバネＳの上端を押さえるバネ押え部５２が設けられている。バネ押え部５２は、便座固定フレーム２３Ａのバネ支持部２７と上下方向に対向して配される。バネ押え部５２には、コイルバネＳの内側に挿通される心棒２８が貫通可能な貫通穴５３が上下方向に貫通形成されている。心棒２８は、バネ押え部５２の上面に頭部２８Ａを当接させ、バネ支持部２７よりも下側にＥリングを嵌め込むことによって固定される。
【００３５】
連結部５０は、便座固定フレーム２３Ａの被固定部２４に固定される固定部５４を備えている。固定部５４は、図１０に示すように、被固定部２４の前面に沿って配され、係止ピン２５によって固定されている。
【００３６】
左右一対の連結部５０のうち一方の連結部５０（以後、第１連結部５０Ａと称する）の接合部５１には、図３および図８に示すように、ダンパー装置４１の軸部４１Ａが挿入される穴部５７が設けられている。左右一対の連結部５０のうち他方の連結部５０（以後、第２連結部５０Ｂと称する）の接合部５１には、図５および図８に示すように、ヒンジ固定部材４３の軸受け部４４に嵌合可能な軸部５８が設けられている。
【００３７】
さて、便座装置Ｍは、互いに係止可能なロック部６１およびロック受け部６２を有して便座３０を起立姿勢に保持するロック機構６０を備えている。ロック機構６０は、便座３０から外側に突出するアーム部６３を有し、ロック部６１は、アーム部６３に備えられている。また、ロック機構６０は、連結部５０に固定されたロック本体部６４を有し、ロック受け部６２は、ロック本体部６４に備えられている。ロック機構６０は、ロック部６１が便座３０とともに回動し、ヒンジ部Ｈから離れた位置でロック受け部６２と係止するようになっている。
【００３８】
アーム部６３は、金属製の板材により形成され、図３に示すように、ダンパーケース４２の壁部４５から延出した形態をなしている。アーム部６３は、ダンパーケース４２が収容凹部３７に収容された状態では、収容凹部３７の後面に形成された開口部３７Ａから便座３０の外側に突出して配される。
【００３９】
アーム部６３は、全体として、複数個所で屈曲した形状をなしている。具体的には、アーム部６３は、図１０に示すように、便座３０の倒伏姿勢において、便座３０から上方へ延びる第１腕部６３Ａと、第１腕部６３Ａの上端から後方へ延びる第２腕部６３Ｂと、第２腕部６３Ｂの後端から斜め後方に上がる第３腕部６３Ｃとを備えている。便座３０の起立姿勢では、図１３に示すように、第１腕部６３Ａは便座３０から後方に延び、第２腕部６３Ｂは第１腕部６３Ａの後端から下方に延び、第３腕部６３Ｃは第２腕部６３Ｂの下端から斜め後方に下がった姿勢になる。
【００４０】
ロック部６１は、図１０に示すように、アーム部６３の先端部に設けられている。ロック部６１は、第３腕部６３Ｃに対して略直角をなす方向に突出するとともに、図１１に示すように、内側（便座３０の左右方向における中央側）に突出するように屈曲されている。ロック部６１は、山状をなし、ロック受け部６２のボールプランジャー６７に係合可能とされている。
【００４１】
ロック本体部６４は、金属製の板材により形成され、第１連結部５０Ａにねじ止めされている（図３参照）。ロック本体部６４は、第１連結部５０Ａの外側（便座３０の左右方向における端側）を覆う形状をなしている。
【００４２】
ロック受け部６２は、ロック本体部６４の下端部（第１連結部５０Ａから下方に突出した部分）に設けられている。ロック受け部６２は、ロック本体部６４の下端部と対向配置される対向片６５を備えている。対向片６５は、ロック本体部６４の下端から外側に略直角に屈曲された後、上向きに略直角に屈曲されて形成されている。対向片６５は、ロック本体部６４と略平行をなし、対向片６５の延出端部（上端部）には、対向片６５とロック本体部６４との間にロック部６１を案内するべく傾斜したロック案内部６６が設けられている。
【００４３】
ロック受け部６２には、ボールプランジャー６７が備えられている。ボールプランジャー６７は、図示しないバネにより付勢されたボール６７Ａを有し、ロック受け部６２の下端部に形成された貫通孔から対向片６５側にボール６７Ａを突出させた姿勢で固定されている。
【００４４】
ロック本体部６４の下側部分は、図１２に示すように、タンクカバー１４の下部によって全体が覆われている。タンクカバー１４の下部には、内側にアーム部６３が入り込むことを可能にする図示しない窓部が形成されている。窓部は、便座３０の回動に伴うアーム部６３の変位を許容するべく上下方向に長い形状をなしている。また、ロック本体部６４の上側部分は、タンクカバー１４の背もたれ部材１２によって覆われている。
【００４５】
次に、本実施例の便座装置Ｍにおけるロック機構６０の動作について説明する。
便座３０の倒伏姿勢では、図１０に示すように、ロック受け部６２のほぼ真上にロック部６１が位置している。倒伏姿勢の便座３０に対し、起立方向に力を加えると、ヒンジ部Ｈを回動中心として便座３０が回動し、それに伴ってロック部６１は下方に変位し、ロック受け部６２に至る。ロック部６１は、ロック案内部６６によって対向片６５の内側へ案内される。やがてロック部６１は、ボールプランジャー６７のボール６７Ａに当接してボール６７Ａを外側に変位させる。便座３０が起立姿勢に至るのとほぼ同時に、ロック部６１がボール６７Ａを乗り越えてボール６７Ａが元の位置に弾性復帰し、ロック部６１がロック受け部６２に係止する。これにより、便座３０の起立姿勢が保持される。
【００４６】
また、起立姿勢の便座３０に対し、倒れ方向に力を加えると、ロック部６１がボール６７Ａを外側に変位させて乗り越え、ロック部６１とロック受け部６２との係止が解除される。便座３０は、ヒンジ部Ｈを回動中心として次第に倒れ、便座３０の回動とともにロック部６１はロック受け部６２から上方へ次第に離れ、便座３０は、ダンパー装置４１によってゆっくりと倒伏姿勢になる。
以上が、ロック機構６０の一連の動作である。
【００４７】
上記のように構成された本実施例によれば、以下の効果を奏する。
本実施例における便座装置Ｍは、便器本体１の上面側に固定される装置本体１０と、便器本体１の上面側において起立姿勢と倒伏姿勢とに回動可能な形態で前記装置本体１０に固定された便座３０と、便座３０を回動可能に支持するヒンジ部Ｈと、互いに係止可能なロック部６１およびロック受け部６２を有して便座３０を起立姿勢に保持するロック機構６０と、を備え、ロック部６１が便座３０とともに回動し、ヒンジ部Ｈから離れた位置でロック受け部６２と係止するようになっている。この構成によれば、便座３０を起立姿勢に保持するロック機構６０が、ヒンジ部Ｈ（すなわち回動中心）から離れた位置で係止するものであるから、小さな係止力で便座３０を起立姿勢に保持することができる。
【００４８】
また、ロック機構６０が、便座３０から外側に突出するアーム部６３を有し、ロック部６１が、アーム部６３に備えられている。この構成によれば、ロック機構６０が、例えば便座３０の内側で係止するものである場合に比して、よりヒンジ部Ｈから離れた位置で係止するから、より小さい係止力で便座３０を起立姿勢に保持することができる。
【００４９】
また、装置本体１０が、ロック受け部６２を覆うタンクカバー１４を備えている。この構成によれば、ロック受け部６２を隠すことができるから、外観を良くすることができる。
【００５０】
また、便座３０の内部に、便座３０の回動に抵抗を付与するダンパー装置４１が収容されている。ここで、ロック機構を備えていないダンパー装置４１は、ロック機構を備えているものに比して小さくすることができる。したがって、タンパー装置４１を便座３０の内部に収容して外観を良くすることができる。
【００５１】
また、便座３０の重心位置は、前記起立姿勢においてヒンジ部Ｈよりも前方に位置している。この構成によれば、起立姿勢の便座３０の後側にスペースをあけることができるから、装置本体１０の形状の自由度を増すことができる。
【００５２】
＜他の実施例＞
本発明は上記記述及び図面によって説明した実施例に限定されるものではなく、例えば次のような実施例も本発明の技術的範囲に含まれる。
（１）上記実施例では、ロック部６１がアーム部６３の先端部に設けられているが、これに限らず、ロック部は例えばアーム部の中間部に設けても良い。
（２）上記実施例では、起立姿勢の便座３０の後側のスペースを利用して背もたれ部材１２が設けられているが、これに限らず、起立姿勢の便座の後側のスペースを利用して装置本体の形状を任意に変更してもよく、例えば、タンク（およびタンクカバー）を前面側に大きくしてその分高さ寸法を小さくする等してもよい。
（３）上記実施例では、装置本体１０が洗浄タンク１１を有するものとされているが、これに限らず、装置本体は便器本体の上面側に固定されるものであればよく、例えば洗浄タンクや局部洗浄装置等の各種トイレ機器を備えていないものであってもよい。
（４）上記実施例では、ヒンジ部Ｈの具体的な構成を例示したが、ヒンジ部の構成は、便座を回動可能に支持可能であればどのような構成であってもよい。
（５）上記実施例では、タンクカバー１４がロック受け部６２を覆うものとしているが、これに限らず、別の部材でロック受け部を覆うようにしても良い。
（６）上記実施例では、アーム部６３がダンパーケース４２に一体に設けられているが、これに限らず、アーム部は、便座に固定されていればどのような形態で設けられていても良い。
（７）上記実施例では、ロック部６１がアーム部６３に備えられているが、これに限らず、ロック部は、例えば便座内におけるヒンジ部から離れた位置に設けてもよい。
（８）上記実施例では、ロック受け部６２が連結部５０に固定されたロック本体部６４に設けられているが、これに限らず、ロック受け部は、ヒンジ部から離れてた位置に配されれば、どのような形態で設けられていても良い。
（９）上記実施例では、便座３０の起立姿勢における重心が、便座３０の倒れ方向に位置しているが、本発明は、必ずしもこのような起立姿勢をとる便座でなくても適用することができる。
【符号の説明】
【００５３】
Ｈ…ヒンジ部
Ｍ…便座装置
１…便器本体
１０…装置本体
１４…タンクカバー（ケーシング）
３０…便座
４１…ダンパー装置
６０…ロック機構
６１…ロック部
６２…ロック受け部
６３…アーム部
【図１】
0006551975.tif 000002
【図２】
0006551975.tif 000003
【図３】
0006551975.tif 000004
【図４】
0006551975.tif 000005
【図５】
0006551975.tif 000006
【図６】
0006551975.tif 000007
【図７】
0006551975.tif 000008
【図８】
0006551975.tif 000009
【図９】
0006551975.tif 000010
【図１０】
0006551975.tif 000011
【図１１】
0006551975.tif 000012
【図１２】
0006551975.tif 000013
【図１３】
0006551975.tif 000014
【図１４】
0006551975.tif 000015